(57)【要約】【課題】用紙等の媒体上に秘匿情報が含まれている場合であっても、情報漏洩することなく、媒体を適切に後処理する。【解決手段】プリンタ１を、印刷処理された用紙上の印字抜けや部分的なむらなどの印刷処理エラーの有無を検査する検査部３０と、検査部３０で異常と判定された用紙を、戻し経路１０３を介して再び主経路１０１へ戻す切替部４２とを含み構成する。そして、検査部３０が、用紙の印刷処理エラーを検知すると、切替部４２がその用紙を主経路１０１へ戻す。そして、主経路１０１へ戻された用紙に対して、印刷処理部２０が、秘匿情報漏洩防止処理として、用紙上の所定の秘匿情報領域を塗りつぶす。【選択図】図１
2005028807.tif 000002
【特許請求の範囲】
【請求項１】
印刷対象データに基づき、媒体に対して印刷処理を行う印刷処理手段と、
印刷処理された媒体の印刷結果を読み取る読取手段と、
前記印刷対象データと読み取った印刷結果データとの比較に基づき、媒体に対する印刷結果が正常か異常かを検査する検査手段と、
検査の結果、異常と判定された場合、印刷処理された媒体を印刷処理手段に戻す戻し処理を実行し、前記媒体の秘匿情報領域を塗りつぶすように、印刷処理手段を制御する制御手段と、
を備えることを特徴とする印刷処理装置。
【請求項２】
請求項１に記載の印刷処理装置であって、
前記印刷処理手段から出力された媒体を両面印刷のために裏返して前記印刷処理手段に戻す裏返し処理を実行する裏返し処理手段を備え、
前記制御手段は、印刷処理された媒体に対する前記戻し処理を、裏返し処理手段に前記裏返し処理を偶数回実行させることにより実現することを特徴とする印刷処理装置。
【請求項３】
請求項１または２に記載の印刷処理装置において、
前記制御手段は、
媒体の秘匿情報領域で使用された色情報を取得する色情報取得手段を含み、
前記制御手段は、取得した色情報に基づき決定した色で秘匿情報領域の塗りつぶしを行うように印刷処理手段を制御することを特徴とする印刷処理装置。
【請求項４】
請求項３に記載の印刷処理装置において、
前記検査手段は、
秘匿情報領域を塗りつぶされた媒体の塗りつぶし結果が正常か異常かを検査する塗りつぶし結果検査手段を含み、
前記制御手段は、
塗りつぶされた結果が異常と判定された場合、その媒体を印刷処理手段に戻し、再度、媒体の秘匿情報領域を塗りつぶすように、印刷処理手段を制御することを特徴とする印刷処理装置。
【請求項５】
コンピュータに読み込ませることにより、印刷処理装置の備える印刷手段に媒体への印刷処理を実行させるプログラムであって、
印刷対象データに基づき、前記印刷手段を用いて媒体に対して印刷処理を行う印刷処理ステップと、
印刷処理された媒体の印刷結果を読み取る読取ステップと、
前記印刷対象データと読み取った印刷結果データとの比較に基づき、媒体に対する印刷結果が正常か異常かを検査する検査ステップと、
検査の結果、異常と判定された場合、印刷処理された媒体の秘匿情報領域を、前記印刷処理手段を用いて、塗りつぶす塗りつぶしステップと、
を印刷処理装置に実行させるプログラム。
【請求項６】
印刷処理装置の備える印刷手段を用いて印刷処理された媒体上の印刷結果に含まれる情報の漏洩防止を行う情報漏洩防止方法であって、
印刷対象データに基づき、前記印刷手段を用いて媒体に対して印刷処理を行う印刷処理ステップと、
印刷処理された媒体の印刷結果を読み取る読取ステップと、
前記印刷対象データと読み取った印刷結果データとの比較に基づき、媒体に対する印刷結果が正常か異常かを検査する検査ステップと、
検査の結果、異常と判定された場合、印刷処理された媒体の秘匿情報領域を、前記印刷処理手段を用いて、塗りつぶす塗りつぶしステップと、
を含む情報漏洩防止方法。
【発明の詳細な説明】
【技術分野】
【０００１】
本発明は、印刷処理装置、特に、紙などの媒体上に所定の情報を記憶させる印刷処理装置に関する。
【背景技術】
【０００２】
従来の技術において、紙などの媒体上に所定の情報を視覚的に認識可能に記憶させる装置として、入力された印刷対象データに基づいて、媒体上に印字処理を行うプリンタなどの印刷処理装置がある。
【特許文献１】特開平０９−２０７４１６号公報
【特許文献２】特開平０９−２１６４４０号公報
【特許文献３】特開平０９−２４０１２０号公報
【発明の開示】
【発明が解決しようとする課題】
【０００３】
上述のような印刷処理装置を利用して、用紙上に印字処理を行う場合、印字抜けや部分的なむらなどの印字エラーが生じる場合がある。このような印字エラーが生じた用紙は、通常不要なため破棄する。しかし、このような用紙を破棄する場合に次のような問題が生じる場合がある。すなわち、用紙上に印字する情報に、送付先宛名情報などの個人情報や社外秘情報などの機密情報がある場合、不用意に印字された用紙を破棄すると、部外者に情報が漏洩してしまうという問題が生じる場合がある。
【０００４】
本発明は、上記課題を鑑みてなされたものであり、用紙等の媒体上に秘匿情報が含まれている場合であっても、情報漏洩することなく、媒体を適切に後処理することを目的とする。
【課題を解決するための手段】
【０００５】
本発明に係る印刷処理装置は、印刷対象データに基づき、媒体に対して印刷処理を行う印刷処理手段と、印刷処理された媒体の印刷結果を読み取る読取手段と、前記印刷対象データと読み取った印刷結果データとの比較に基づき、媒体に対する印刷結果が正常か異常かを検査する検査手段と、検査の結果、異常と判定された場合、印刷処理された媒体を印刷処理手段に戻す戻し処理を実行し、前記媒体の秘匿情報領域を塗りつぶすように、印刷処理手段を制御する制御手段と、を備えることを特徴とする。
【０００６】
本発明によれば、検査手段での検査の結果、異常と判定された媒体を印刷手段に戻し、媒体の秘匿情報領域を塗りつぶす。これにより、媒体の秘匿情報を外部に漏らすことなく、適切に後処理をすることができる。
【０００７】
また、本発明に係る印刷処理装置の一つの態様では、前記印刷処理手段から出力された媒体を両面印刷のために裏返して前記印刷処理手段に戻す裏返し処理を実行する裏返し処理手段を備え、前記制御手段は、印刷処理された媒体に対する前記戻し処理を、裏返し処理手段に前記裏返し処理を偶数回実行させることにより実現することを特徴とする。
【０００８】
本発明によれば、塗りつぶし処理を行うために、媒体を印刷手段に戻す処理を、両面印刷の際に使用する裏返し処理手段を利用する。これにより、新たに媒体を印刷手段に戻すための手段を追加することなく、秘匿情報漏洩防止処理として、所定の秘匿情報領域の塗りつぶしを行うことができる。
【０００９】
さらに、本発明に係る印刷処理装置の一つの態様では、媒体の秘匿情報領域で使用された色情報を取得する色情報取得手段を含み、前記制御手段は、取得した色情報に基づき決定した色で秘匿情報領域の塗りつぶしを行うように印刷処理手段を制御することを特徴とする。
【００１０】
本発明によれば、媒体の秘匿情報領域で使用された色情報に基づき決定した色で秘匿情報領域の塗りつぶしを行う。これにより、印刷される文字等の色の関係で、秘匿情報領域に示された情報が見えてしまうことを防止することができる。
【００１１】
加えて、本発明に係る印刷処理装置の一つの態様では、前記検査手段は、秘匿情報領域を塗りつぶされた媒体の塗りつぶし結果が正常か異常かを検査する塗りつぶし結果検査手段を含み、前記制御手段は、塗りつぶされた結果が異常と判定された場合、その媒体を印刷処理手段に戻し、再度、媒体の秘匿情報領域を塗りつぶすように、印刷処理手段を制御することを特徴とする。
【００１２】
本発明によれば、塗りつぶし結果が異常の場合に、再度媒体の秘匿情報領域の塗りつぶしを行う。これにより、秘匿情報領域の塗りつぶし抜け等による秘匿情報の漏洩を防止することができる。
【００１３】
本発明に係るプログラムは、コンピュータに読み込ませることにより、印刷処理装置の備える印刷手段に媒体への印刷処理を実行させるプログラムであって、印刷対象データに基づき、前記印刷手段を用いて媒体に対して印刷処理を行う印刷処理ステップと、印刷処理された媒体の印刷結果を読み取る読取ステップと、前記印刷対象データと読み取った印刷結果データとの比較に基づき、媒体に対する印刷結果が正常か異常かを検査する検査ステップと、検査の結果、異常と判定された場合、印刷処理された媒体の秘匿情報領域を、前記印刷処理手段を用いて、塗りつぶす塗りつぶしステップと、を印刷処理装置に実行させる。
【００１４】
本発明によれば、異常と判定された媒体を印刷手段に戻し、媒体の秘匿情報領域を塗りつぶすように印刷処理装置を制御することができる。これにより、媒体の秘匿情報を外部に漏らすことなく、適切に後処理をすることができる。
【００１５】
本発明に係る情報漏洩防止方法は、印刷処理装置の備える印刷手段を用いて印刷処理された媒体上の印刷結果に含まれる情報の漏洩防止を行う情報漏洩防止方法であって、印刷対象データに基づき、前記印刷手段を用いて媒体に対して印刷処理を行う印刷処理ステップと、印刷処理された媒体の印刷結果を読み取る読取ステップと、前記印刷対象データと読み取った印刷結果データとの比較に基づき、媒体に対する印刷結果が正常か異常かを検査する検査ステップと、検査の結果、異常と判定された場合、印刷処理された媒体の秘匿情報領域を、前記印刷処理手段を用いて、塗りつぶす塗りつぶしステップと、を含む。
【００１６】
本発明によれば、異常と判定された媒体を印刷手段に戻し、媒体の秘匿情報領域を塗りつぶすように印刷処理装置を制御することができる。これにより、媒体の秘匿情報を外部に漏らすことなく、適切に後処理をすることができる。
【発明を実施するための最良の形態】
【００１７】
以下、本発明の第一の実施の形態（以下実施形態１という）を、図面に従って説明する。図１は、実施形態１におけるプリンタ１の断面構造を示す図であり、図２は、実施形態１におけるプリンタ１のブロック構成図である。なお、プリンタ１は、紙などの媒体上に印字などを行う印刷処理装置の一例であり、その他、印刷機構を有する装置、例えば、複写機、ＦＡＸ装置等でも、本実施形態１は実現可能である。
【００１８】
プリンタ１は、両面印刷可能な印刷処理装置であり、両面印刷用切替部４０と両面トレイ４１とを備える。両面印刷用切替部４０は、両面印刷をする場合、主経路１０１（図１において、Ａ−Ｂ間）を介して片面の印刷が終わった用紙を、排出経路１０２（図１において、Ｂ−Ｃ間）へ排出せずに、両面トレイ４１側へ用紙の経路を切り替える。両面トレイ４１は、用紙を裏返し、再度主経路１０１に用紙を戻す。プリンタ１は裏返して戻された用紙に対して印刷を行うことで、両面印刷を実現することができる。
【００１９】
実施形態１において特徴的なことは、プリンタ１が、印刷処理された用紙上の印字抜けや部分的なむらなどの印刷処理エラーの有無を検査する検査部３０と、検査部３０で異常と判定された用紙を、戻し経路１０３（図１において、Ｃ−Ａ間）を介して再び主経路１０１へ戻す、上述した両面印刷用切替部４０とは独立した、切替部４２とを備えていることである。このように構成されたプリンタ１によれば、検査部３０が、用紙の印刷処理エラーを検知すると、切替部４２がその用紙を主経路１０１へ戻す。そして、主経路１０１へ戻された用紙に対して、印刷処理部２０が、秘匿情報漏洩防止処理として、用紙上の所定の秘匿情報領域を塗りつぶす。このように、秘匿情報領域を塗りつぶすことで、この用紙の秘匿情報領域に示された秘匿情報を部外者に漏洩することなく適切に廃棄等の後処理をすることができる。
【００２０】
ここで、秘匿情報領域とは、関係者以外に知られては困る情報が示された領域のことをいい、例えば、顧客の住所や氏名などを示す顧客情報や、社外秘の機密情報が示された領域のことをいう。なお、実施形態１では、秘匿情報領域に示された情報は、用紙上に視覚的に記憶した印字情報を例に挙げて説明するが、秘匿情報領域に示された情報は、必ずしも可視状態にある情報である必要はない。すなわち、人間が読み取り不可能であるが、機械が読み取ることで、認識できる情報でもよい。
【００２１】
続いて、図１、２に示した各部について説明する。制御部１０は、プリンタ１に備えられた各部全体を制御する。印刷対象データ記憶部１１は、用紙上に印刷処理を施す際に利用する印刷対象データを記憶する。ここで、印刷対象データは、スキャナー等を利用して読み取った原稿データや、パソコンで加工された文書データなど、用紙上に印刷する情報が含まれたデータである。
【００２２】
秘匿情報領域データ記憶部１２は、用紙上で秘匿情報が含まれる領域を示すデータが記憶されている。ここで、秘匿情報領域は、各印刷対象データの書式に規定された領域のうち、秘匿情報が含まれる領域のことを示す。その領域は、例えば、顧客に対する請求書などに印刷されている顧客住所欄などが該当する。すなわち、請求書などは、予め様式が設定されていて、設定された枠等は事前に用紙に印刷されている。その事前印刷された用紙に、さらに個別の情報を印刷することで各顧客ごとに請求書を作成する。このような場合、秘匿すべき顧客名や顧客住所等が印刷される枠を事前に秘匿情報領域として定めて、秘匿情報領域データ記憶部１２に記憶させておけばよい。図３に示す請求書の例でいうと、領域２００が秘匿情報領域である。
【００２３】
また、トレイ５０は、印刷処理される用紙が格納される。そして、トレイ５０からピックアップローラ１２０を介して、主経路１０１へ用紙が供給される。印刷処理部２０は、制御部１０に制御され、印刷対象データに基づき、主経路１０１を介して供給された用紙上に印刷処理を行う。正常に印刷処理された用紙は、最終的に排出経路１０２を介して排出される。
【００２４】
さらに、本実施形態１の特徴の一つである検査部３０について説明する。検査部３０は、後述する切替部４２より手前に設けられ（用紙が主経路１０１を通って、印刷処理され、点Ｂに達するまでの間）、印刷結果読み取り部３１と印刷結果判定部３２とを含み構成される。そして、印刷結果読み取り部３１は、印刷処理された用紙上の印刷処理結果を読み取る。読み取りは、例えば、光学的に用紙上の印字状態を読み取ることで行う。具体的には、図１に示すように、例えば、照射ランプ３５で媒体上の読み取り部分に光を照射し、結像レンズ３６で媒体上で反射した光を結像し、結像した光学像をＣＣＤカメラ３７に取り込み画像データに変換することで実現することができる。印刷結果判定部３２は、読み取った印刷結果データと、印刷対象データ記憶部１１に記憶された、印刷処理に使用した印刷対象データとの画像比較により、両データの一致度合いを照合することで、印刷結果が正常か異常かを判定する。一致度合いの照合は、例えば、印刷結果の画像と印刷対象データの画像との差分をとり、その差分が基準範囲内にあるか否かで行えば良く、差分が基準範囲外であれば、異常と判定すればよい。
【００２５】
加えて、本実施形態１のもう一つの特徴である切替部４２は、主経路１０１と排出経路１０２との間に設けられ、印刷結果の判定結果に基づき、異常と判定された場合は、用紙を主経路１０１へ戻し、正常と判定された場合は、その用紙を排出トレイ６０へ排出するように切り替えを行う。このように切替部４２により、印刷処理された用紙が主経路１０１へ戻されることにより、再度この用紙に対して印刷処理部２０が印刷処理を行うことができる。
【００２６】
続いて、図４に示したフローチャートに基づいて、実施形態１における印刷処理フローについて説明する。
【００２７】
まず、トレイ５０から用紙が主経路１０１に供給され（Ｓ１０１）、印刷対象データ記憶部１１に記憶された印刷対象データに基づき、印刷処理部２０が、供給された用紙に印刷処理を行う（Ｓ１０２）。印刷処理された用紙は、さらに主経路１０１を進み、検査部３０の印刷結果読み取り部３１により、用紙の印刷結果が読み取られる（Ｓ１０３）。そして、印刷結果判定部３２が、読み取った印刷結果データと、印刷対象データ記憶部１１に記憶された印刷対象データとの比較により、この用紙に対する印刷処理が正常か異常かを判定する（Ｓ１０４）。判定の結果、異常と判定された用紙の経路は、切替部４２により、排出トレイ６０から戻し経路１０３へ切り替えられ、再び主経路１０１へ戻される（Ｓ１０５）。印刷処理部２０は、戻された用紙に対して、秘匿情報領域データ記憶部１２に記憶された秘匿情報領域データに基づき、指定された領域を塗りつぶす（Ｓ１０６）。そして、秘匿情報領域が塗りつぶされた用紙は、排出トレイ６０を介して、排出される（Ｓ１０７）。また、Ｓ１０４において、印刷処理が正常と判定された場合は、切替部４２は、用紙の経路を排出トレイ６０のまま切り替えず、用紙を排出する。
【００２８】
本実施形態１によれば、検査の結果、印刷結果が異常と判定された用紙の場合、その用紙に含まれる秘匿情報領域が塗りつぶされる。これにより、印刷処理エラーが生じた用紙を廃棄する場合でも、秘匿情報の漏洩を適切に防止することができる。
【００２９】
また、塗りつぶす領域は、印刷対象データに含まれる書式データに基づき設定できるため、用紙全体を塗りつぶすことなく、情報漏洩したくない領域を選択的に塗りつぶせば、無駄なインクやトナーの消費を抑えることができる。もちろん、塗りつぶし領域の制限はなく、全面の塗りつぶしも可能である。
【００３０】
さらに通常の印刷処理を行う印刷処理部２０が、塗りつぶしを行うため、別途塗りつぶし用に印刷処理部を設ける必要がなく、小型化や省電力化を実現することができる。
【００３１】
加えて、用紙への印刷がカラー印刷の場合、印刷される色によっては、塗りつぶしに使用する色も考慮しなければ、印刷される文字等の色の関係で、塗りつぶし領域に示された情報が見えてしまう場合がある。しかし、このような問題は、次のようにすることで解消することができる。すなわち、制御部１０が、印刷対象データと秘匿情報領域データとに基づいて、印刷処理に使用する色情報（例えば、ＲＧＢ値）のうち秘匿情報領域の印刷処理に使用される色情報を取得する。制御部１０は、取得した色情報に基づき、塗りつぶしを行う色を決定し、決定した色で塗りつぶしを行うように印刷処理部２０を制御する。例えば、制御部１０は、秘匿情報が色材としてマゼンタを使用して印刷されていた場合、マゼンタの最高濃度色で塗りつぶしを行うように、また、秘匿情報が緑系の色で印刷された場合、シアンおよびイエローの最高濃度色で塗りつぶしを行うように、印刷処理部２０を制御する。このように、秘匿情報の印刷に使用された色材情報をすべて取得し、取得した各色材の最も高濃度の各色を使用して塗りつぶしを行うことで、印刷される文字等の関係で、塗りつぶし領域の情報が見えてしまうという問題を防止することができる。
【００３２】
さらに、一回の塗りつぶし処理によっては、確実に所定の秘匿情報の塗りつぶしが行えない場合がある。この場合は、次のようにすることで解消することができる。すなわち、塗りつぶし処理された用紙をさらに、検査部３０で読み取り、指定された秘匿情報領域が塗りつぶされているか否かを判定する判定部を制御部１０に設ける。具体的には、この判定部は、次に示すような判定方法を利用して塗りつぶしの正常性を判定することができる。すなわち、制御部１０が、印刷結果読み取り部３１で取得した印刷結果である画像データから、秘匿情報領域内の各画素の色情報（例えば、ＲＧＢ値）を取得する。そして、制御部１０は、画像対象データと秘匿情報領域データとに基づき求められた塗りつぶしに使用する基準色情報と、上述の画像データに基づき求められた秘匿情報領域内の各画素の色情報とをそれぞれ比較する。そして、比較の結果、各画素の色情報が、基準色情報とすべて一致した場合は、正常と判定し、当該領域内の画素の色情報が、基準色情報と異なる画素が存在すれば、異常と判定すればよい。
【００３３】
なお、秘匿情報領域の各画素の色情報がすべて基準色情報と一致しなくても、秘匿情報領域内の各画素のうち色情報が一致した画素の画素数が、秘匿情報領域中の総画素数のうち、所定の割合以上含まれている場合に正常と判定してもよい。このような判定をすることで、ある程度塗りつぶされていれば正常と判定されているため、効率的な印刷処理を行うことができる。そして、この判定部において、さらに秘匿情報領域の塗りつぶしが異常と判定された場合は、再度その用紙を主経路１０１へ戻し、再度塗りつぶし処理を行う。この工程を繰り返すことにより、秘匿情報領域に示された情報の漏洩を確実に防止することができる。
【００３４】
さらに、実施形態１では、秘匿情報漏洩防止処理として、秘匿情報領域を塗りつぶす例を示しているが、秘匿情報漏洩防止処理は、塗りつぶす以外でも、情報漏洩が防止できれば何でもよく、例えば、シュレッダー機能を利用して用紙を細断処理等してもよい。
【００３５】
続いて、本発明の第二の実施の形態（以下、実施形態２）を、図面に従って説明する。図５は、実施形態２におけるプリンタ２の断面構造を示す図である。実施形態２は、プリンタ２が、実施形態１のように切替部４２を備えておらず、代わりに両面印刷用切替部４０により裏返された用紙に対して、秘匿情報漏洩防止処理を行う。このように、主経路１０１へ戻す切り替えを通常の両面印刷処理と秘匿情報漏洩防止処理とで同じ切替部を用いることで、小型化や省コスト化を図ることができる。
【００３６】
しかし、切換部の併用をすると次のような問題が生じることがある。すなわち、図５に示すように、通常の両面印刷用のプリンタの場合、各ユニットの配置上、検査部３０の配置場所が限られる。したがって、検査部３０と両面印刷用切替部４０との距離が十分にとれない場合がある。このような場合、検査部３０が用紙全体を読み取り印刷結果の判定をする前に、用紙の前半部がすでに両面印刷用切替部４０に達してしまう。そうすると、検査部３０の判定結果に基づいて、両面印刷用切替部４０での経路の切替を行えないという問題が生じる。そこで、実施形態２では、プリンタ２の印刷処理モードとして、片面印刷モードおよび両面印刷モードに対して、それぞれ、通常印刷モードと秘匿情報漏洩防止モードを用意する。そして、片面印刷モードかつ秘匿情報漏洩防止モードの場合および両面印刷モードかつ秘匿情報漏洩防止モードの場合に、下記に示す秘匿情報漏洩防止処理を行うようにする。これにより、検査部３０と両面印刷用切替部４０との距離が十分にとれない場合の問題を解消することができる。詳細は、各モードにおけるフローチャートをもとに以下において説明する。なお、片面印刷モードかつ通常印刷モード、および両面印刷モードかつ通常印刷モードの際には、プリンタ２は従来と同様な印刷処理を行う。
【００３７】
ここでまず、片面印刷モードかつ秘匿情報漏洩防止モードの場合の印刷処理フローについて図６のフローチャートをもとに説明する。
【００３８】
トレイ５０から、主経路１０１へ用紙が供給されると（Ｓ２０１）、印刷対象データに基づき、印刷処理部２０が表面の印刷処理を行う（Ｓ２０２）。印刷処理された用紙は、さらに主経路１０１を進み、検査部３０の印刷結果読み取り部３１により、表面の用紙の印刷結果の読み取りが開始される（Ｓ２０３）。用紙はそのまま、印刷結果判定部３２での判定結果を待たずに、両面印刷用切替部４０により経路が切り替えられ、両面トレイ４１に移動する（Ｓ２０４）。用紙は、両面トレイ４１で裏返されて主経路１０１へ戻される（Ｓ２０５）。その後、片面印刷モードのため、用紙はそのまま印刷処理されることなく印刷処理部２０を通過する（Ｓ２０６）。一方、印刷結果判定部３２は、用紙の表面の全体を読み取った段階で、印刷結果データと、印刷対象データ記憶部１１に記憶された印刷対象データとの比較により、この用紙の表面に対する印刷処理が正常か異常かを判定する（Ｓ２０７）。判定の結果、異常と判定された用紙は、両面印刷用切替部４０により、再び両面トレイへ移動し（Ｓ２０８）、裏返されて主経路１０１へ戻される（Ｓ２０９）。そして、印刷処理部２０は、戻された用紙の表面に対して、秘匿情報領域データ記憶部１２に記憶された秘匿情報領域データに基づき、指定された領域を塗りつぶす（Ｓ２１０）。秘匿情報領域が塗りつぶされた用紙は、排出経路１０２を介して、排出される（Ｓ２１１）。また、Ｓ２０７において、表面の印刷処理が正常と判定された場合は、両面印刷用切替部４０は、用紙の経路を排出経路１０２へ切り替えて、排出トレイ６０を介して用紙を排出する。
【００３９】
続いて、両面印刷モードかつ秘匿情報漏洩防止モードの場合の印刷処理フローについて図７のフローチャートをもとに説明する。
【００４０】
トレイ５０から、主経路１０１へ用紙が供給され（Ｓ２２１）、印刷対象データに基づき、印刷処理部２０が表面の印刷処理を行う（Ｓ２２２）。表面が印刷処理された用紙は、さらに主経路１０１を進み、検査部３０の印刷結果読み取り部３１により、表面の用紙の印刷結果の読み取りが開始される（Ｓ２２３）。用紙はそのまま、印刷結果判定部３２での判定結果を待たずに、両面印刷用切替部４０で経路が切り替えられ、両面トレイ４１に移動する（Ｓ２２４）。そして、用紙は、両面トレイ４１で裏返されて主経路１０１へ戻される（Ｓ２２５）。また、検査部３０は、用紙の表面全面の読み取りが終了した時点で、表面の印刷結果の検査を行う。
【００４１】
その後、両面印刷モードのため、さらに印刷対象データに基づき、印刷処理部２０が裏面の印刷処理を行う（Ｓ２２６）。続いて、裏面が印刷処理された用紙は、さらに主経路１０１を進み、検査部３０の印刷結果読み取り部３１により、裏面の用紙の印刷結果の読み取りが開始される（Ｓ２２７）。用紙はそのまま、印刷結果判定部３２での判定結果を待たずに、再度両面印刷用切替部４０により、両面トレイ４１に移動し（Ｓ２２８）、両面トレイ４１で裏返して主経路１０１へ戻される（Ｓ２２９）。そして、検査部３０は、用紙の裏面全面の読み取りが終了した時点で、裏面の印刷結果の検査を行う。
【００４２】
その後、印刷結果判定部３２の表面および裏面の印刷結果の検査結果の判定を行う（Ｓ２３０）。判定の結果、すくなくとも一つの面が異常と判定された場合、まず表面に対して、印刷処理部２０は、秘匿情報領域データ記憶部１２に記憶された秘匿情報領域データに基づき、指定された領域を塗りつぶす（Ｓ２３１）。なお、表面に秘匿情報が含まれていなければ、塗りつぶし処理されることなく、用紙は印刷処理部２０を素通りする。続いて、用紙は、また両面印刷用切替部４０により経路が切り替えられ、両面トレイに移動し（Ｓ２３２）、裏返して主経路１０１へ戻される（Ｓ２３３）。そして、裏面に対して、印刷処理部２０は、秘匿情報領域データ記憶部１２に記憶された秘匿情報領域データに基づき、指定された領域を塗りつぶす（Ｓ２３４）。この場合も表面と同様に、裏面に秘匿情報が含まれていなければ、塗りつぶし処理されることなく、用紙は印刷処理部２０を素通りする。その後、両面の秘匿情報領域が塗りつぶされた用紙は、排出経路１０２、排出トレイ６０を介して、排出される（Ｓ２３５）。
【００４３】
一方、Ｓ２３０で、印刷結果判定部３２が表面および裏面の印刷結果を正常と判定した場合、両面印刷用切替部４０は、用紙の経路を排出経路１０２へ切り替えて、用紙を排出する。
【００４４】
実施形態２によれば、実施形態１のように新たに切替部４２を設けることなく、秘匿情報漏洩防止処理として、所定の秘匿情報領域の塗りつぶしを行うことができる。さらに、検査部３０と両面印刷用切替部４０との距離が十分にとれない場合でも、各ユニットのスペースを拡張することなく、所定の秘匿情報領域の塗りつぶしを行うことができる。
【００４５】
また、実施形態１と同様に、秘匿情報の印刷に使用された色に基づき、塗りつぶしに使用する色を決定することで、印刷される文字等の色の関係で、塗りつぶし領域の情報が見えてしまうという問題を防止することができる。
【００４６】
さらに、検査部３０で読み取り、指定された秘匿情報領域が塗りつぶされているか否かを判定して、判定の結果、塗りつぶされていないと判定された場合は、再度塗りつぶし処理を行うことで、塗りつぶしが十分に行われなかったことによる情報漏洩を防止することができる。
【図面の簡単な説明】
【００４７】
【図１】実施形態１におけるプリンタ１の断面図である。
【図２】実施形態１におけるプリンタ１のブロック構成図である。
【図３】秘匿情報領域の一例を示す図である。
【図４】実施形態１におけるプリンタ１の印刷処理フローを示すフローチャート図である。
【図５】実施形態２におけるプリンタ２の断面図である。
【図６】実施形態２におけるプリンタ２の片面印刷モード時の印刷処理フローを示すフローチャート図である。
【図７】実施形態２におけるプリンタ２の両面印刷モード時の印刷処理フローを示すフローチャート図である。
【符号の説明】
【００４８】
１，２  プリンタ、１０  制御部、１１  印刷対象データ記憶部、１２  秘匿情報領域データ記憶部、２０  印刷処理部、３０  検査部、３１  印刷結果読み取り部、３２  印刷結果判定部、３５  照射ランプ、３６  結像レンズ、３７  ＣＣＤカメラ、４０  両面印刷用切替部、４１  両面トレイ、４２  切替部、５０  トレイ、６０  排出トレイ、１０１  主経路、１０２  排出経路、１０３  戻し経路、１２０  ピックアップローラ、２００  秘匿情報領域。
【図１】
2005028807.tif 000003
【図２】
2005028807.tif 000004
【図３】
2005028807.tif 000005
【図４】
2005028807.tif 000006
【図５】
2005028807.tif 000007
【図６】
2005028807.tif 000008
【図７】
2005028807.tif 000009